(57)【要約】【課題】相手接続端子との接続部分となる角筒状接続部の連結部分が設けられた壁に外面側から筒内方に向けた外力が作用した場合であっても、角筒状接続部が変形することを抑制ことができる接続端子を提供すること。【解決手段】相手接続端子の接続部分が筒内で接続される角筒状接続部１０の周壁１１の連結部分となる一端部１１ａの端面１１ａａから他端部１１ｂが重ね合わされる外面１１Ａ側で一段下がった段となるように周壁１１に比して薄厚とし、かつ、片状に突出された突出片連結部１６と、突出片連結部１６の先端に連接し、外面１１Ａ側に凸となる係合凸部１７と、を有する下側係合部１５と、突出片連結部１６が嵌め込まれる部分であり、他端部１１ｂの内面１１Ｂに端面から内側に向けて形成された凹溝部１９と、凹溝部１９の内側端部に連接され、係合凸部１７と係合する係合孔部２０と、を有し、下側係合部１５の上側から係合される上側係合部１８と、を有する。【選択図】図２
2020140916.tif 000002
【特許請求の範囲】
【請求項１】
相手接続端子の接続部分が筒内で接続される角筒状接続部の周壁の連結部分となる一端部の端面から他端部が重ね合わされる外面側で一段下がった段となるように前記周壁に比して薄厚とし、かつ、片状に突出された突出片連結部と、該突出片連結部の先端に連接し、前記外面側に凸となる係合凸部と、を有する下側係合部と、
前記突出片連結部が嵌め込まれる部分であり、前記他端部の内面に端面から内側に向けて形成された凹溝部と、該凹溝部の内側端部に連接され、前記係合凸部と係合する係合孔部と、を有し、前記下側係合部の上側から係合される上側係合部と、
を有することを特徴とする接続端子。
【請求項２】
前記係合凸部は、
前記突出片連結部に比して幅方向の寸法が拡大されて該記突出片連結部に連接されている
ことを特徴とする請求項１に記載の接続端子。
【発明の詳細な説明】
【技術分野】
【０００１】
本発明は、相手接続端子の接続部分が筒内で接続される角筒状接続部を有する接続端子に関する。
【背景技術】
【０００２】
従来、雄型の相手接続端子の接続部分に接続される雌型の接続端子は、相手接続端子の接続部分が筒内で接続される角筒状接続部を有する。
【０００３】
例えば、特許文献１には、角筒状接続部に相手端子の接続部分が挿入された際に側板が外方に押圧される場合であっても、天板の連結部分が開離されないように連結部分を係止する係止部が設けられた接続端子が記載されている。
より具体的には、特許文献１に記載された接続端子１００は、図６（ａ）に示すように、相手端子の挿入方向に直交する方向Ｂ１に作用する力に対して、係止部１２０によって連結部分の開離を阻止することができるようになっている。
【先行技術文献】
【特許文献】
【０００４】
【特許文献１】特開平７−３２６４１５号公報
【発明の概要】
【発明が解決しようとする課題】
【０００５】
しかしながら、特許文献１に記載された接続端子１００は、例えば、ワイヤハーネスの製造工程において、接続端子１００と不図示の電線を接続する為に、接続端子１００を搬送等により取り扱う際に外力が及んだりすると、図６に示すように、連結部分が設けられた天板１１１の外面側から筒内方に向けた方向Ｂ２の外力が作用し、角筒状接続部１１０が変形するおそれがあった（図６（ｂ）参照）。
【０００６】
本発明は、上記に鑑みてなされたものであって、相手接続端子との接続部分となる角筒状接続部の連結部分が設けられた壁に外面側から筒内方に向けた外力が作用した場合であっても、角筒状接続部が変形することを抑制することができる接続端子を提供することを目的とする。
【課題を解決するための手段】
【０００７】
上述した課題を解決し、目的を達成するために、本発明に係る接続端子は、相手接続端子の接続部分が筒内で接続される角筒状接続部の周壁の連結部分となる一端部の端面から他端部が重ね合わされる外面側で一段下がった段となるように前記周壁に比して薄厚とし、かつ、片状に突出された突出片連結部と、該突出片連結部の先端に連接し、前記外面側に凸となる係合凸部と、を有する下側係合部と、前記突出片連結部が嵌め込まれる部分であり、前記他端部の内面に端面から内側に向けて形成された凹溝部と、該凹溝部の内側端部に連接され、前記係合凸部と係合する係合孔部と、を有し、前記下側係合部の上側から係合される上側係合部と、を有することを特徴とする。
【０００８】
また、本発明に係る接続端子は、上記の発明において、前記係合凸部が、前記突出片連結部に比して幅方向の寸法が拡大されて該記突出片連結部に連接されていることを特徴とする。
【発明の効果】
【０００９】
本発明に係る接続端子は、前記角筒状接続部が前記突出片連結部の上側から前記凹溝部を嵌め込みつつ、前記係合凸部と前記係合孔部とを係合させることによって、前記周壁の一端部と他端部とを連結させている。
このため、本発明に係る接続端子は、前記係合凸部と前記係合孔部との嵌め合いによって、前記角筒状接続部の連結部分での前後、左右方向での変形を阻止することができる。
しかも、本発明に係る接続端子は、連結部分が前記一端部の端面から前記他端部の端面の間を、前記突出片連結部が前記他端部の内面側から前記凹溝部に嵌め込まれた状態で橋渡すようになっている。
このため、本発明に係る接続端子は、前記周壁の連接部分が設けられた壁に外面１１Ａ側から筒内方に向けた外力が作用した場合、前記周壁が外力によって筒内方に向けて押し込まれて変形されることを前記突出片連結部によって抑制することができる。
従って、本発明に係る接続端子は、相手接続端子との接続部分となる角筒状接続部の連結部分が設けられた壁に外面側から筒内方に向けた外力が作用した場合であっても、角筒状接続部が変形することを抑制することができる。
【図面の簡単な説明】
【００１０】
【図１】図１は、本発明の実施例に係る接続端子の斜視図である。
【図２】図２は、（ａ）が接続端子の上面図であり、（ｂ）が接続端子の前面図であり、（ｃ）が（ａ）に示した角筒状接続部の連結部分周辺を拡大した図である。
【図３】図３は、（ａ）が図２（ｂ）のＡ−Ａ線断面図であり、（ｂ）が（ａ）に示した角筒状接続部の連結部分周辺を拡大した図である。
【図４】図４は、（ａ）が接続端子の展開図を内面側から視た斜視図であり、（ｂ）が（ａ）に示した上側係合部周辺を拡大した図である。
【図５】図５は、（ａ）が接続端子の展開図を外面側から視た斜視図であり、（ｂ）が（ａ）に示した下側係合部周辺を拡大した図である。
【図６】図６は、従来技術の問題点を説明するための図である。
【発明を実施するための形態】
【００１１】
以下、図面を参照して、本発明に係る接続端子の好適な実施例を詳細に説明する。
【実施例】
【００１２】
図１は、本発明の実施例に係る接続端子１の斜視図である。図２は、（ａ）が接続端子１の上面図であり、（ｂ）が接続端子１の前面図であり、（ｃ）が（ａ）に示した角筒状接続部１０の連結部分周辺を拡大した図である。図３は、（ａ）が図２（ｂ）のＡ−Ａ線断面図であり、（ｂ）が（ａ）に示した角筒状接続部１０の連結部分周辺を拡大した図である。図４は、（ａ）が接続端子１の展開図を内面１１Ｂ側から視た斜視図であり、（ｂ）が（ａ）に示した上側係合部１８周辺を拡大した図である。図５は、（ａ）が接続端子１の展開図を外面１１Ａ側から視た斜視図であり、（ｂ）が（ａ）に示した下側係合部１５周辺を拡大した図である。
本発明の実施例に係る接続端子１は、電線の端末部に取り付けられる雌型の端子である。
なお、説明の便宜上、図１に示した矢印方向を上下前後左右方向とする。
【００１３】
接続端子１は、銅製あるいはアルミニウム製の導電板状部材がプレス加工によって成形されたものであり、不図示の雄型の相手接続端子が筒内で接続される角筒状接続部１０と、不図示の電線が接続される電線接続部３０と、を有する。
【００１４】
角筒状接続部１０は、周壁１１としての、底壁１２、一対の側壁１３、１３、および、天壁１４を有し、これら４つの壁１２、１３、１３、１４によって角筒形状を形成している。
【００１５】
この角筒状接続部１０は、一対の側壁１３、１３が底壁１２の両側端部から屈曲して立上げられ、各側壁１３、１３から底壁１２に向かい合うように屈曲された２つの壁が天壁１４になっている。
【００１６】
天壁１４は、各側壁１３、１３から屈曲された第一天壁１４ａと第二天壁１４ｂとが互いの端部で連結されることによって底壁１２に向かい合う壁を形成している。
【００１７】
第一天壁１４ａと第二天壁１４ｂとは、第一天壁１４ａ側に設けられた下側係合部１５と、第二天壁１４ｂに設けられた上側係合部１８とが係合することによって連結されるようになっている。
【００１８】
下側係合部１５は、突出片連結部１６と、係合凸部１７と、を有する。
突出片連結部１６は、図５に示すように、角筒状接続部１０の周壁１１の連結部分となる一端部１１ａの端面１１ａａから他端部１１ｂが重ね合わされる外面１１Ａ側で一段下がった段となるように周壁１１に比して薄厚とし、かつ、片状に突出されている。
【００１９】
より具体的には、突出片連結部１６は、第一天壁１４ａと第二天壁１４ｂとの連結部分となる第一天壁１４ａの端部（一端部１１ａ）の端面１１ａａから第一天壁１４ａの内面１１Ｂに内面を面一にし、第一天壁１４ａの外面１１Ａから一段下がった外面が形成されるように第一天壁１４ａに比して薄厚に形成されている。
【００２０】
係合凸部１７は、突出片連結部１６の先端に連接し、外面側に凸となる部分である。
より具体的には、係合凸部１７は、第一天壁１４ａの端面１１ａａに平行な両側面１７ａ、１７ａを有し、内面が突出片連結部１６の内面に面一となって突出片連結部１６の先端に連接し、外面が第一天壁１４ａの外面１１Ａに揃うことによって外面側に凸となる部分として形成されている。
なお、この実施例では、係合凸部１７は、第一天壁１４ａの端面１１ａａに平行な両側面１７ａ、１７ａに円弧状の両端面１７ｂ、１７ｂが連接された楕円形状をなしている。
【００２１】
また、係合凸部１７は、突出片連結部１６に比して幅方向の寸法が拡大されて突出片連結部１６に連接されている。
このように係合凸部１７は、突出片連結部１６に比して幅方向の寸法が拡大されることによって、係合孔部２０との係り代を拡大させている。
【００２２】
なお、この実施例では、下側係合部１５は、第一天壁１４ａの端面１１ａａに沿って間隔を空けた２箇所に設けられている。
【００２３】
上側係合部１８は、下側係合部１５の上側から係合される部分であり、凹溝部１９と、係合孔部２０と、を有する。
凹溝部１９は、突出片連結部１６が嵌め込まれる部分であり、図４に示すように、角筒状接続部１０の周壁１１の連結部分となる他端部１１ｂの内面１１Ｂに端面１１ｂｂから内側に向けて形成されている。
【００２４】
この凹溝部１９は、突出片連結部１６が嵌め込まれるように、突出片連結部１６の幅、突出長さ、および、厚みに対応して溝の幅、長さ、および、深さが設定されている。
【００２５】
係合孔部２０は、凹溝部１９の内側端部に連接され、係合凸部１７と係合する部分である。
【００２６】
より具体的には、係合孔部２０は、第二天壁１４ｂの端面１１ｂｂから凹溝部１９の長さ分だけ内側の位置に配置され、係合凸部１７に対応した外形形状に形成された貫通孔である。
この実施例では、係合孔部２０は、係合凸部１７の外形形状に対応した楕円形状の孔になっている。
【００２７】
なお、この実施例では、上側係合部１８は、２カ所に設けられた下側係合部１５に対応して、第二天壁１４ｂの端面１１ｂｂに沿って間隔を空けた２箇所に設けられている。
【００２８】
底壁１２は、角筒状接続部１０の筒内に挿入された相手接続端子を天壁１４側に向けて弾性的に押圧することによって相手接続端子に接続される弾性接触片１２ａが設けられている。
弾性接触片１２ａは、底壁１２を前方に延在した部分（図４（ａ）、図５（ａ）参照）を、相手接続端子の挿入口となる角筒状接続部１０の前面開口１０ａから筒内に折り返すことによって、折り曲げ部分を基端部とする片持ち片状に形成されている。
【００２９】
電線接続部３０は、角筒状接続部１０の底壁１２を後方に向けて延在した部分を電線の端末部が載置される底壁３１になっている。
この電線接続部３０は、底壁３１の前方側が電線の露出した導体部を加締める導体加締め部３２となり、底壁３１の後方側が被覆部分を加締める被覆加締め部３３になっており、導体加締め部３２および被覆加締め部３３のそれぞれに一対の加締め片３２ａ、３３ａが設けられている。
【００３０】
このような接続端子１は、下側係合部１５と上側係合部１８とを係合させることによって角筒状接続部１０の周壁１１の連結部分を連結させている。
【００３１】
より具体的には、接続端子１は、角筒状接続部１０が突出片連結部１６の上側から凹溝部１９を嵌め込みつつ、係合凸部１７と係合孔部２０とを係合させることによって、第一天壁１４ａと第二天壁１４ｂとを連結させている。
【００３２】
このため、接続端子１は、係合凸部１７の縁面である側面１７ａ、および、端面１７ｂが係合孔部２０の孔内縁面２０ａに沿って係合凸部１７が係合孔部２０に嵌め込まれることによって係合凸部１７と係合孔部２０とが係合されているため、角筒状接続部１０の連結部分での前後、左右方向での変形を阻止するようになっている。
【００３３】
なお、この実施例では、係合凸部１７が突出片連結部１６に比して幅方向の寸法が拡大されて突出片連結部１６に連接されているので、係合凸部１７の縁面である側面１７ａ、および、端面１７ｂと係合孔部２０の孔内縁面２０ａとの係り代が広く確保されるようになっている。
【００３４】
また、接続端子１は、第一天壁１４ａと第二天壁１４ｂとの連結部分が第一天壁１４ａの端面１１ａａから第二天壁１４ｂの端面１１ｂｂの間を、突出片連結部１６が第二天壁１４ｂの内面１１Ｂ側から凹溝部１９に嵌め込まれた状態で橋渡すようになっている。
このため、接続端子１は、角筒状接続部１０の連結部分が設けられた壁、すなわち、天壁１４に外面１１Ａ側から筒内方に向けた外力が作用した場合、突出片連結部１６が第一天壁１４ａおよび第二天壁１４ｂの端部が外力によって筒内方に向けて押し込まれて変形されることを抑制するようになっている。
【００３５】
次に、本発明の実施例に係る接続端子１の角筒状接続部１０の組み立て手順について説明する。
なお、ここで説明する角筒状接続部１０の組み立て手順は、図４および図５に示すような所定の形状に加工された展開状態の導電板状部材の各所を、製造装置によって、屈曲させて角筒状接続部１０を組み立てるまでの手順である。
【００３６】
まず、製造装置によって、底壁１２の両側端部から一対の壁を屈曲して立上げることによって一対の側壁１３、１３が形成される。
【００３７】
次に、製造装置によって、底壁１２から前方に延在した部分を相手接続端子の挿入口となる角筒状接続部１０の前面開口１０ａから筒内に折り返すことによって弾性接触片１２ａが形成される。
なお、弾性接触片１２ａは、一対の側壁１３、１３を形成する前に形成するようにしてもよい。
【００３８】
最後に、製造装置によって、各側壁１３、１３から底壁１２に向かい合うように屈曲させることによって形成された第一天壁１４ａおよび第二天壁１４ｂが、下側係合部１５と上側係合部１８とを係合されることによって連結され、角筒状接続部１０の組み立てが完了される。
【００３９】
なお、第一天壁１４ａと第二天壁１４ｂとを連結させる際、下側係合部１５の上側から上側係合部１８を係合させる。より具体的には、第一天壁１４ａ側に設けられた突出片連結部１６および係合凸部１７を上側から臨む位置に第二天壁１４ｂの端部に設けられた凹溝部１９および係合孔部２０を配置して、それぞれを嵌め合わせることによって下側係合部１５と上側係合部１８とを係合する。
【００４０】
本発明の実施例に係る接続端子１は、角筒状接続部１０が突出片連結部１６の上側から凹溝部１９を嵌め込みつつ、係合凸部１７と係合孔部２０とを係合させることによって、周壁１１の一端部１１ａと他端部１１ｂとを連結させている。
このため、本発明の実施例に係る接続端子１は、係合凸部１７と係合孔部２０との嵌め合いによって、角筒状接続部１０の連結部分での前後、左右方向での変形を抑制することができる。
しかも、本発明の実施例に係る接続端子１は、連結部分が一端部１１ａの端面１１ａａから他端部１１ｂの端面１１ｂｂの間を、突出片連結部１６が他端部１１ｂの内面１１Ｂ側から凹溝部１９に嵌め込まれた状態で橋渡すようになっている。
このため、本発明の実施例に係る接続端子１は、周壁１１の連接部分が設けられた壁に外面１１Ａ側から筒内方に向けた外力が作用した場合、周壁１１が外力によって筒内方に向けて押し込まれて変形されることを突出片連結部１６によって抑制することができる。
従って、本発明の実施例に係る接続端子１は、相手接続端子との接続部分となる角筒状接続部１０の連結部分が設けられた壁に外面側から筒内方に向けた外力が作用した場合であっても、角筒状接続部１０が変形することを抑制することができる。
【００４１】
また、本発明の実施例に係る接続端子１は、係合凸部１７が、突出片連結部１６に比して幅方向の寸法が拡大されて突出片連結部１６に連接されているので、係合凸部１７の縁面である側面１７ａ、および、端面１７ｂと係合孔部２０の孔内縁面２０ａとの係り代を広く確保することができる。
従って、本発明の実施例に係る接続端子１は、角筒状接続部１０が変形することをより効果的に抑制することができる。
【００４２】
なお、本発明の実施例に係る接続端子１は、下側係合部１５および上側係合部１８がそれぞれ２箇所に設けられるものを例示したが、下側係合部１５および上側係合部１８は、少なくとも１箇所に設けられていればよい。
【００４３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４４】
１        接続端子
１０      角筒状接続部
１０ａ    前面開口
１１      周壁
１１Ａ    外面
１１Ｂ    内面
１１ａ    一端部
１１ａａ  端面
１１ｂ    他端部
１１ｂｂ  端面
１２      底壁（周壁）
１２ａ    弾性接触片
１３      側壁（周壁）
１４      天壁（周壁）
１４ａ    第一天壁（周壁）
１４ｂ    第二天壁（周壁）
１５      下側係合部
１６      突出片連結部
１７      係合凸部
１７ａ    側面（縁面）
１７ｂ    端面（縁面）
１８      上側係合部
１９      凹溝部
２０      係合孔部
２０ａ    孔内縁面
３０      電線接続部
３１      底壁
３２      導体加締め部
３３      被覆加締め部
３２ａ、３３ａ  加締め片
【図１】
2020140916.tif 000003
【図２】
2020140916.tif 000004
【図３】
2020140916.tif 000005
【図４】
2020140916.tif 000006
【図５】
2020140916.tif 000007
【図６】
2020140916.tif 000008